(57)【要約】【課題】マッサージ感に変化を与えることができる機能を、簡単な構成により得ることができるマッサージ機能付き椅子を提供する。【解決手段】座部１と、この座部１の後ろに設けられ下部を回動中心として前後回動動作することができる背凭れ部２と、この背凭れ部２に凭れた使用者の上半身の背面に当接させることができる施療子７を有している施療ユニット９と、背凭れ部２の前記回動動作から駆動力を生じさせ当該回動動作に連動させて施療ユニット９を移動させる動作手段６とを備えている。【選択図】      図１
2008142161.tif 000002
【特許請求の範囲】
【請求項１】
座部と、
この座部の後ろに設けられ下部を回動中心として前後回動動作することができる背凭れ部と、
この背凭れ部に凭れた使用者の上半身の背面に当接させることができる施療子を有している施療ユニットと、
前記背凭れ部の前記回動動作から駆動力を生じさせ当該回動動作に連動させて前記施療ユニットを移動させる動作手段と、
を備えていることを特徴とするマッサージ機能付き椅子。
【請求項２】
前記動作手段は、前記背凭れ部の前記回動動作を駆動力として回転するドラムと、一端部が前記施療ユニットに取り付けられ他端部側が前記ドラムに巻かれるワイヤと、を有し、
前記背凭れ部の回動動作に伴って前記ドラムが前記ワイヤを巻くことで当該ワイヤが前記施療ユニットを引っ張る請求項１に記載のマッサージ機能付き椅子。
【請求項３】
前記背凭れ部の高さ方向に沿って設けられ当該背凭れ部と共に倒れることができ前記施療ユニットを移動可能として取り付けているガイドレールを備え、
前記ドラムは、前記施療ユニットよりも低い位置に設けられ、
前記動作手段は、前記施療ユニットよりも高い位置に設けられ前記ワイヤを折り返す滑車を有し、
前記ワイヤは前記ドラムから前記滑車を経て前記施療ユニットに繋がっている請求項２に記載のマッサージ機能付き椅子。
【請求項４】
前記施療ユニットは、前記施療子を使用者側である前方側へ移動させたマッサージ位置と、前記施療子を後方へ退避させた退避位置とに切り換える位置変更手段を備えている請求項１〜３のいずれか一項に記載のマッサージ機能付き椅子。
【請求項５】
前記施療ユニットは、前記施療子を先端部に取り付け水平の揺動軸心回りに揺動自在であるアームを有し、
前記位置変更手段は、使用者が操作する操作手段と、この操作手段に応じて動作し前記アームを前記揺動軸心回りに揺動させることにより前記施療子の位置を切り換える動作部材と、を有している請求項４に記載のマッサージ機能付き椅子。
【請求項６】
前記背凭れ部は、使用者の上半身を支持する本体部と、使用者側に開口している開口部とを有し、
前記施療子は前記開口部内を移動する請求項１〜５のいずれか一項に記載のマッサージ機能付き椅子。
【請求項７】
前記回動動作により傾倒した前記背凭れ部を起立した状態に復帰させる方向の弾性力を付与する弾性部材を更に備えている請求項１〜６のいずれか一項に記載のマッサージ機能付き椅子。
【請求項８】
前記背凭れ部の回動動作により初期位置から移動した前記施療ユニットを当該初期位置に復帰させる方向の弾性力を付与する弾性部材を更に備えている請求項１〜７のいずれか一項に記載のマッサージ機能付き椅子。
【発明の詳細な説明】
【技術分野】
【０００１】
この発明は、着座する使用者に対してマッサージ効果を与えることができる施療子を備えたマッサージ機能付き椅子に関する。
【背景技術】
【０００２】
従来、背凭れ部に玉やローラなどの施療子（押圧子）が設けられ、座部に着座した使用者がその背凭れ部に凭れることにより、施療子が使用者の背中に当接してマッサージ効果を与えることができるマッサージ機能付きの椅子が知られている（例えば、特許文献１、特許文献２、特許文献３、及び特許文献４）。また、別のマッサージ機能付き椅子として、施療子としてローラを有する施療ユニットを移動可能としたものがある（例えば、特許文献５）。この椅子では、駆動源（モータ）によって施療ユニットを身体に沿って移動させている。
【０００３】
【特許文献１】実開昭５７−２０４０号公報
【特許文献２】実開昭５８−１４７５２１号公報
【特許文献３】実開平１−１１９６３６号公報
【特許文献４】実用新案登録第２５２５７６２号公報
【特許文献５】特開２００３−１９０２４３号公報
【発明の開示】
【発明が解決しようとする課題】
【０００４】
しかし、特許文献１〜４に記載の従来のマッサージ機能付きの椅子は、背もたれ部に対して施療子が固定されているため、施療子が使用者に与えるマッサージ感に変化がないという問題点がある。
また、特許文献５に記載の椅子は、マッサージ用のローラを有している施療ユニットを移動させることができるが、施療ユニットの移動のために駆動源（モータ及び減速機）が必要であり、全体の構成が複雑化するという問題点がある。
【０００５】
そこで、この発明は前記問題点に鑑みてなされたものであり、マッサージ感に変化を与えることができる機能を、簡単な構成により得ることができるマッサージ機能付き椅子を提供することを目的とする。
【課題を解決するための手段】
【０００６】
前記目的を達成するためのこの発明のマッサージ機能付き椅子は、座部と、この座部の後ろに設けられ下部を回動中心として前後回動動作することができる背凭れ部と、この背凭れ部に凭れた使用者の上半身の背面に当接させることができる施療子を有している施療ユニットと、前記背凭れ部の前記回動動作から駆動力を生じさせ当該回動動作に連動させて前記施療ユニットを移動させる動作手段とを備えているものである。
このマッサージ機能付き椅子によれば、使用者が背凭れ部に凭れた状態で、背凭れ部を回動動作させると、動作手段がこの背凭れ部の回動動作から駆動力を生じさせ当該回動動作に連動させて施療ユニットを移動させることができる。このため、使用者が背凭れ部に凭れた状態で、背凭れ部を回動動作させると、これに連動して施療子が移動するので、使用者へのマッサージ感に変化を与えることができる。そして、背凭れ部の回動動作から駆動力を生じさせているので、従来必要であった駆動源（モータ）が不要となり、構成を簡素化できる。
【０００７】
また、前記マッサージ機能付き椅子において、前記動作手段は、前記背凭れ部の前記回動動作を駆動力として回転するドラムと、一端部が前記施療ユニットに取り付けられ他端部側が前記ドラムに巻かれるワイヤとを有し、前記背凭れ部の回動動作に伴って前記ドラムが前記ワイヤを巻くことで当該ワイヤが前記施療ユニットを引っ張るのが好ましい。これによれば、背凭れ部が回動動作することで、ワイヤが施療ユニットを引っ張って、施療ユニットを移動させることができる。そして、ワイヤは可撓性を有しているため、ドラムと施療ユニットとの間においてワイヤを設けやすく、施療ユニットを移動させる構成をコンパクトにすることができる。
【０００８】
また、この場合において、前記背凭れ部の高さ方向に沿って設けられ当該背凭れ部と共に倒れることができ前記施療ユニットを移動可能として取り付けているガイドレールを備え、前記ドラムは、前記施療ユニットよりも低い位置に設けられ、前記動作手段は、前記施療ユニットよりも高い位置に設けられ前記ワイヤを折り返す滑車を有し、前記ワイヤは前記ドラムから前記滑車を経て前記施療ユニットに繋がっているものとすることができる。これによれば、背凭れ部が回動動作することで、ワイヤが施療ユニットを引っ張って、施療ユニットを上方向へ移動させることができる。
【０００９】
また、前記マッサージ機能付き椅子において、前記施療ユニットは、前記施療子を使用者側である前方側へ移動させたマッサージ位置と、前記施療子を後方へ退避させた退避位置とに切り換える位置変更手段を備えているのが好ましい。これによれば、位置変更手段が施療子をマッサージ位置とすると、動作手段によって移動する施療ユニットの施療子を使用者に接触させることができ、位置変更手段が施療子を退避位置とすると、施療子を後方へ退避させることができる。
【００１０】
また、この場合において、前記施療ユニットは、前記施療子を先端部に取り付け水平の揺動軸心回りに揺動自在であるアームを有し、前記位置変更手段は、使用者が操作する操作手段と、この操作手段に応じて動作し前記アームを前記揺動軸心回りに揺動させることにより前記施療子の位置を切り換える動作部材とを有しているものとすることができる。これによれば、使用者が操作手段を操作することで、動作部材がアームを揺動させ、施療子の位置をマッサージ位置と退避位置とに切り換えることができる構造が得られる。
【００１１】
また、前記マッサージ機能付き椅子において、前記背凭れ部は、使用者の上半身を支持する本体部と、使用者側に開口している開口部とを有し、前記施療子は前記開口部内を移動するのが好ましい。これによれば、背凭れ部が後方へ倒れても、背凭れ部の本体部が使用者の上半身を支持することにより安全であり、かつ、施療子を使用者の上半身の背面に接触させることができる。
【００１２】
また、前記マッサージ機能付き椅子において、前記回動動作により傾倒した前記背凭れ部を起立した状態に復帰させる方向の弾性力を付与する弾性部材を更に備えているのが好ましい。これによれば、使用者が背凭れ部に凭れて当該背凭れ部を傾倒させても、弾性部材の弾性力により、使用者は上半身が起立した状態となる通常の着座姿勢に楽に戻ることができる。
【００１３】
また、前記マッサージ機能付き椅子において、前記背凭れ部の回動動作により初期位置から移動した前記施療ユニットを当該初期位置に復帰させる方向の弾性力を付与する弾性部材を更に備えているのが好ましい。これによれば、背凭れ部を回動動作前の状態に戻す際に、弾性部材の弾性力によって施療ユニットを初期位置に復帰させることができる。
【発明の効果】
【００１４】
この発明によれば、使用者が背凭れ部に凭れた状態で、背凭れ部を後方へ倒すと、これに連動して施療ユニットの施療子が移動するので、使用者へのマッサージ感に変化を与えることができる。そして、背凭れ部の回動動作による力を施療子の移動のための駆動力としているので、従来必要であった駆動源（モータ）が不要となり、構成を簡素化できる。
【発明を実施するための最良の形態】
【００１５】
以下、この発明の実施の形態について図面を参照しながら説明する。
図１はこの発明のマッサージ機能付き椅子の実施の一形態を示す側面図である。このマッサージ機能付き椅子（以下、椅子と言う）は、座部１と、この座部の後ろに設けられ下部を回動中心として前後回動動作することができる背凭れ部２とを備えている。すなわち、背もたれ部２は、起立した状態から後方へ倒れることができる。座部１は支持脚３によって床面から支持されており、座部１の左右両側には肘掛け部４が設けられている。図１は、背凭れ部２が起立した状態（通常状態）であり、図２は、この背凭れ部２が後方へ倒れた状態（後傾状態）である。なお、この発明では、椅子に座った使用者において、その前方を前、これと反対の後方を後ろとし、また、使用者の頭部側を上、脚側を下としている。
【００１６】
図３は背凭れ部２の正面図である。背凭れ部２は、使用者の上半身を支持する本体部２ａと、使用者側に開口している開口部２ｂとを有している。図３の本体部２ａは、芯材１９ａと、その前面側に設けたクッション材１９ｂと、これらを覆っているカバー部材１９ｃとからなる構成である。図１に示しているように側面視において、背凭れ部２は当該背凭れ部２の後方側を中心とした円弧形状（弓形状）である。
【００１７】
図１〜図３において、この椅子は、施療子７を有している施療ユニット９と、この施療ユニット９を背凭れ部２に沿って移動可能として取り付けているガイドレール８と、施療ユニット９を移動させる動作手段６とを備えている。後に詳しく説明するが、施療ユニット９の施療子７は、背凭れ部２に凭れた使用者の上半身の背面に当接させることができ、ガイドレール８は、背凭れ部２と共に倒れることができ、動作手段６は、背凭れ部２及びガイドレール８が後方へ倒れることにより施療ユニット９を移動させることができる。そして、施療子７は背凭れ部２の開口部２ｂ内に設けられており、開口部２ｂ内を上下方向に移動することができる。
【００１８】
ガイドレール８は、背凭れ部２の背面側に離れた位置で、背凭れ部２の高さ方向を長手方向として背凭れ部２に沿って設けられている。ガイドレール８の上部と背凭れ部２の上部とは、上連結部材２０ａによって連結されており、ガイドレール８の下部と背凭れ部２の下部とは、下連結部材２０ｂによって連結されている。そして、ガイドレール８は、その下部において、座部１の後部のブラケット１ａに水平軸線Ｃ２回りに回動可能に取り付けられている。これにより、背凭れ部２及びガイドレール８は水平軸心Ｃ２回りに前後方向に回動することができ、両者は起立状態（図１の状態）から、座部１に対して後方へ倒れた状態（図２の状態）になることができる。背凭れ部２が水平軸線Ｃ２回りに前後回動する動作を回動動作といい、この回動動作のうち、背凭れ部２が後方へ倒れる動作を傾倒動作といい、背もたれ部２が後方へ倒れた状態から起立状態へ戻る動作を起立動作という。
【００１９】
また、この椅子は、図１に示しているように、傾倒した背凭れ部２及びガイドレール８を起立状態に復帰させる方向の弾性力を、ガイドレール８に対して付与する弾性部材１７を備えている。弾性部材（コイルばね）１７は座部１の後部に取り付けられており、前記水平軸心Ｃ２よりも低い位置において、当接部材３４を介してガイドレール８の下部（後述する取付部８ｂ）を後方へ押圧する。つまり、弾性部材１７は、水平軸心Ｃ２回りに回動して後方へ傾倒するガイドレール８に対して、その反対回りの付勢力を作用させる。これにより、背凭れ部２に凭れた使用者は、この弾性部材１７の弾性力に抗して背凭れ部２及びガイドレール８を傾倒させることとなる。そして、使用者が背凭れ部２に凭れて当該背凭れ部２を傾倒させても、弾性部材１７の弾性力により、使用者は上半身が起立状態となる通常の着座姿勢に楽に戻ることができる。
【００２０】
ガイドレール８は、側面視における形状が、背凭れ部２と平行となる円弧形状（弓形状）である本体部８ａと、この本体部８ａの下端と連続している取付部８ｂとを有している。この取付部８ｂには、前記水平軸心Ｃ２を中心とする部分歯車２１が取り付けられている。ガイドレール８が水平軸心Ｃ２回りに回動すると、部分歯車２１は水平軸心Ｃ２を中心として一体的に回動する。
【００２１】
図４は施療ユニット９の側面図である。施療ユニット９は、ガイドレール８に沿って移動自在である本体部９ａと、施療子７を先端部にそれぞれ取り付けた上下一対のアーム１４ａ，１４ｂとを有している。本体部９ａは、上下のアーム１４ａ，１４ｂのそれぞれを、水平の揺動軸心Ｃ１回りに揺動自在に取り付けている。
図３と図４とにおいて、本体部９ａは、ガイドレール８を左右両側から挟む一対の板部材２４を有し、両板部材２４の間に複数個のローラ３３（図３参照）が取り付けられている。ローラ３３がガイドレール８を転がることにより、施療ユニット９はスムーズにガイドレール８に沿って移動することができ、さらに、一対の板部材２４がガイドレール８を左右両側から挟んでいることにより、施療ユニット９がガイドレール８から脱落することを防止できる。
【００２２】
図４において、上下のアーム１４ａ，１４ｂのそれぞれは、Ｌ字形（ブーメラン形状）の第一部材２２と、この第一部材２２をその中間部において自由に回動自在となるように取り付けている第二部材２３とを有している。第一部材２２の両端部に施療子７がそれぞれ取り付けられており、第二部材２３は本体部９ａに揺動軸心Ｃ１回りに揺動自在に取り付けられている。さらに、図３に示しているように、施療ユニット９の本体部９ａを挟んで左右両側のそれぞれに、上下のアーム１４ａ，１４ｂが設けられている。各第一部材２２の両端部に施療子７が取り付けられているため、この椅子では施療子７が合計８個設けられている。
【００２３】
また、図４に示しているように、上下のアーム１４ａ，１４ｂのそれぞれにおいて、第一部材２２の揺動を制限する制限部材２６を有している。制限部材２６は一部が第二部材２３に固定され、他部が第一部材２２（第一部材２２に設けたピン部材２７）に接触する。これにより、第一部材２２が下方へ移動し過ぎる（下方へ揺動し過ぎる）ことを制限している。
【００２４】
上下のアーム１４ａ，１４ｂは、揺動を連動させるリンク部材２８によって連結されている。リンク部材２８は、上下のアーム１４ａ，１４ｂのそれぞれの第二部材２３の一部と回動自在に取り付けられている。そして、後述する位置変更手段１３によってリンク部材２８を本体部９ａに対して下方へ変位させると、上下のアーム１４ａ，１４ｂは連動して上下の揺動軸心Ｃ１を中心とし使用者の背中側へ向かって揺動することができる。
【００２５】
図１と図２とにおいて、前記動作手段６は、背もたれ部２の回動動作（背凭れ部２が後方へ倒れる傾倒動作）から駆動力を生じさせ、当該回動動作（傾倒動作）に連動させて施療ユニット９を移動させることができる。動作手段６は、背凭れ部２の傾倒動作による力を駆動力として回転するドラム１０と、一端部が施療ユニット９に取り付けられ他端部側がドラム１０に巻かれるワイヤ１１とを有している。
【００２６】
図５と図６とは、この椅子のワイヤリング図であり、図５は背凭れ部２が起立した通常状態であり、図６は背凭れ部２が後方へ倒れた後傾状態である。図５と図６とにおいて、座部１、背凭れ部２、ガイドレール８及び施療ユニット９を二点鎖線で示している。
ドラム１０は、座部１の後部下方位置に水平な回転軸心Ｃ３回りに回動自在として取り付けられている。ドラム１０には回転軸心Ｃ３を中心とする歯車２９が固定されている。この歯車２９は、前記ガイドレール８の取付部８ｂに取り付けた部分歯車２１と噛合する。これにより、図５と図６とに示しているように、ガイドレール８及び背凭れ部２の傾倒動作に伴い、部分歯車２１が前記水平軸心Ｃ２回りに回動すると、この部分歯車２１に噛合する歯車２９はドラム１０を回転させる。そして、回転するこのドラム１０がワイヤ１１を巻くことにより、ワイヤ１１が施療ユニット９を引っ張り、施療ユニット９を移動させる。
【００２７】
さらに、動作手段６は、施療ユニット９よりも高い位置に設けられた第一滑車１２を含む複数の滑車を有している。そして、ワイヤ１１はドラム１０から複数の前記滑車を経て施療ユニット９に繋がっている。前記第一滑車１２は、ガイドレール８の上部に水平軸心を中心として回転自在に取り付けられている。そして、第二滑車３０及び第三滑車３１がガイドレール８に沿って設けられている。第四滑車３２は前記水平軸心Ｃ２を中心とする位置に設けられている。そして、ドラム１０は、施療ユニット９よりも低い位置に設けられており、ワイヤ１１はドラム１０から第四滑車３２、第三滑車３１、第二滑車３０によって上方へ向かってガイドレール８に沿って誘導され、第一滑車１２によってワイヤ１１は下方へ向かって折り返され、ワイヤ１１は施療ユニット９の取付部９ｂに固定されている。これにより、背凭れ部２が傾倒動作することで、ワイヤ１１が施療ユニット９を引っ張って、施療ユニット９を上方向へ移動させることができる。
【００２８】
なお、図５に示しているように、背凭れ部２が起立状態にあり、施療ユニット９が下にある位置が初期位置であり、背凭れ部２が後傾状態にあり、施療ユニット９が上に移動した位置が移動位置である。そして、ガイドレール８（本体部８ａ）の下部と、施療ユニット９の下部との間には弾性部材１８が設けられている（図１参照）。この弾性部材（コイルばね）１８は、背凭れ部２の傾倒動作により初期位置から移動位置へ移動した施療ユニット９を、初期位置に復帰させる方向の弾性力を付与するものである。この弾性部材１８によれば、傾倒した背凭れ部２を起立状態に戻す際に、弾性部材１８の弾性力によって施療ユニット９（施療子７）を自動的に初期位置に復帰させることができる。
【００２９】
また、図４において、この椅子は、施療子７の位置をマッサージ位置と退避位置とに切り換える位置変更手段１３を更に備えている。マッサージ位置は、施療子７を使用者側である前方側へ移動させた位置である。なお、このマッサージ位置は、上下のアーム１４ａ，１４ｂの少なくとも一方において、第一部材２２の上下の施療子７の両者が、背凭れ部２に凭れた使用者の背中に対して接触して押圧することができる位置としている。すなわち、施療子７がマッサージ位置にあると、施療子７によって、使用者を押圧しマッサージ効果を与えることができる。また、前記退避位置は、施療子７を背中から後方へ退避させた位置である。なお、この退避位置は、上下のアーム１４ａ，１４ｂのそれぞれにおいて、第一部材２２の上下の施療子７の両者又は一方が、背凭れ部２に凭れた使用者の背中に対して押圧することができない位置としている。すなわち、施療子７が退避位置にあると、施療子７によって、使用者に対してマッサージ効果を与えることができない。なお、図４の状態は、施療子７が退避位置にある状態である。
【００３０】
そして、前記のとおり、上下のアーム１４ａ，１４ｂはリンク部材２８によって連結されており、すべての施療子７が連動して動作できることから、マッサージ位置は、背凭れ部２に凭れた使用者の背中に対して複数の施療子７のすべてが接触することができる位置とすることができる。また、退避位置は、施療子７のすべてが使用者の背中に対して押圧することができない位置とすることができる。
【００３１】
図４において、位置変更手段１３は、使用者が操作する操作手段と、この操作手段に応じて動作し施療子７の位置をマッサージ位置と退避位置とに切り換える動作部材とを有している。操作手段は座部１の下部に取り付けられたレバー部材１５とすることができ、動作部材はこのレバー部材１５に一端部が繋がっているワイヤ１６とすることができる。そして、このワイヤ１６の他端部は、施療ユニット９のリンク部材２８に固定されている。
これにより、座部１に着座した使用者がレバー部材１５を操作することにより、レバー部材１５の基端部を一方向に移動させると、ワイヤ１６はリンク部材２８を施療ユニット９の本体部９ａに対して変位させることができる。つまり、下方へ変位させることができる。これにより、リンク部材２８は、上下のアーム１４ａ，１４ｂを、それぞれ揺動軸心Ｃ１を中心として使用者の背中側へ向かって揺動させることができ、施療子７を退避位置からマッサージ位置とすることができる。
【００３２】
そして、座部１に着座した使用者がレバー部材１５を操作することにより、レバー部材１５の基端部を他方向に移動させると、リンク部材２８は初期位置に戻ることができ、施療子７は退避位置となる。このように、使用者が操作手段１５を操作することで、ワイヤ１６がアーム１４を揺動軸心Ｃ１回りに揺動させ、施療子７の位置をマッサージ位置と退避位置とに切り換えることができる。なお、位置変更手段１３が、レバー部材１５の位置を固定するロック手段（図示せず）を有し、施療子７をマッサージ位置又は退避位置に維持させるようにしてもよい。
【００３３】
以上の実施の形態によれば、使用者が背凭れ部２に凭れ、背凭れ部２を後方へ倒すと、動作手段６が、この背凭れ部２の傾倒動作から駆動力を生じさせこの傾倒動作に連動させて施療子７を上方へ移動させることができる。これにより、使用者が背凭れ部２に凭れ背凭れ部２が後方へ倒れると、これに連動して施療子７が移動するので、使用者へのマッサージ感に変化を与えることができる。すなわち、使用者が背凭れ部２に凭れ、背凭れ部２が後方へ倒れると、施療ユニット９の移動に伴って、施療子７が使用者の上半身の背面に接触していない状態から接触している状態へと変化したり、施療ユニット９の移動に伴って、施療子７を使用者の上半身の背面（背中）に接触させながら当該施療子７を背面に沿って移動させるマッサージを行わせたりすることができる。これにより、使用者へのマッサージ感に変化を与え、マッサージ効果をより高めることができる機能を備えたものとすることができる。
【００３４】
なお、従来のマッサージ機能付き椅子において、使用者が通常の着座状態でマッサージ効果を期待しない場合であっても、背中に施療子が当接し、違和感を与えてしまう。特に、使用者が通常の着座状態で背もたれ部に凭れてこの椅子に長時間座っていると、施療子が背中の同じ位置に当たったままの状態であるために、逆に不快感を与えてしまうおそれがある。さらに、使用者がマッサージ効果を欲する場合に、施療子に背中を接触させても、背凭れ部に対して施療子は相対位置が変化しない構成であるためマッサージとしては単調なものである。しかし、本発明の前記実施形態によればこれを解消することができる。
【００３５】
また、背凭れ部２が傾倒動作することで、ワイヤ１１が施療ユニット９を引っ張って、施療ユニット９をガイドレール８に沿って移動させることができる。ワイヤ１１は可撓性を有しているため、ドラム１０と施療ユニット９との間においてワイヤ１１を設けやすく、施療ユニット９を移動させる構成をコンパクトにすることができる。そして、背凭れ部２の傾倒動作から駆動力を生じさせているので、従来必要であった駆動源（モータ）が不要となり、構成を簡素化できる。
さらに背凭れ部２は、使用者の上半身を支持する本体部２ａと、使用者側に開口している開口部２ｂとを有しているので、使用者が背凭れ部２に凭れて、背凭れ部２が後方へ倒れても、本体部２ａが使用者の上半身を支持することにより安全であり、かつ、施療子７を使用者の上半身の背面に接触させることができる。
【００３６】
また、本発明のマッサージ機能付き椅子は、図示する形態に限らずこの発明の範囲内において他の形態のものであっても良く、図示しないが、ガイドレール８の長手方向を左右方向とし、施療ユニット９（施療子７）を開口部２ｂ内において左右方向に移動させてもよい。
また、背凭れ部２の他の形態としては、図示しないが、背凭れ部２の外周輪郭形状を形成する環状の枠材と、この枠材内に張られた布状の面状部材とからなる構成であってもよい。この場合、開口部２ｂは存在しておらず、施療子７は面状部材を介して使用者の背中に当接する。この際、面状部材が弾性変形することによって、施療子７が背中に当接することができる。
【図面の簡単な説明】
【００３７】
【図１】この発明のマッサージ機能付き椅子の実施の一形態を示す側面図であり、背凭れ部が起立した状態（通常状態）である。
【図２】図１のマッサージ機能付き椅子の側面図であり、背凭れ部が後方へ倒れた状態（後傾状態）である。
【図３】背凭れ部の正面図である。
【図４】施療ユニットの側面図である。
【図５】図１のマッサージ機能付き椅子のワイヤリング図であり、背凭れ部が起立した状態である。
【図６】図１のマッサージ機能付き椅子のワイヤリング図であり、背凭れ部が後方へ倒れた状態である。
【符号の説明】
【００３８】
１  座部
２  背凭れ部
２ａ  本体部
２ｂ  開口部
６  動作手段
７  施療子
８  ガイドレール
９  施療ユニット
１０  ドラム
１１  ワイヤ
１２  滑車
１３  位置変更手段
１４ａ  上アーム
１４ｂ  下アーム
１５  操作手段（レバー部材）
１６  動作部材（ワイヤ）
１７  弾性部材
１８  弾性部材
Ｃ１  揺動軸心
Ｃ２  水平軸心
Ｃ３  回転軸心
【図１】
2008142161.tif 000003
【図２】
2008142161.tif 000004
【図３】
2008142161.tif 000005
【図４】
2008142161.tif 000006
【図５】
2008142161.tif 000007
【図６】
2008142161.tif 000008